(57)【要約】【課題】着座者周辺の空気環境を細かく調整できる空調家具を提供する。【解決手段】空調家具１０は、着座可能な座面１４Ａが形成された家具本体１２と、家具本体１２の内部に設けられ、空気が供給される複数の空気室３２と、それぞれの空気室３２に設けられ家具本体１２の外部へ向って空気を吹出す吹出口３４Ａ、３４Ｂと、それぞれの吹出口３４Ａ、３４Ｂから、温度及び流量の少なくとも一方が異なる空気を吹出可能とする調整機構と、を備えている。【選択図】図２
2020134070.tif 000002
【特許請求の範囲】
【請求項１】
着座可能な座面が形成された家具本体と、
前記家具本体の内部に設けられ、空気が供給される複数の空気室と、
それぞれの前記空気室に設けられ前記家具本体の外部へ向って空気を吹出す吹出口と、
それぞれの前記吹出口から、温度及び流量の少なくとも一方が異なる空気を吹出可能とする調整機構と、
を備えた空調家具。
【請求項２】
前記調整機構は、
建物の空調空気経路から前記空気室に空調空気を供給可能な第一供給口と、
前記第一供給口を開閉可能なシャッターが設けられた第一開閉装置と、
を備えた請求項１に記載の空調家具。
【請求項３】
前記調整機構は、
建物の室内空間から少なくとも１つの前記空気室に室内空気を供給する第二供給口と、
前記第二供給口を開閉可能なシャッター及びファンが設けられた第二開閉装置と、
を備えた請求項１又は請求項２に記載の空調家具。
【請求項４】
前記調整機構は、
それぞれの前記吹出口から吹出される空気の温度及び流量を個別に制御する、
請求項１〜請求項３の何れか１項に記載の空調家具。
【発明の詳細な説明】
【技術分野】
【０００１】
本発明は、空調家具に関する。
【背景技術】
【０００２】
下記特許文献１には、建物の床から吹出した空気を椅子内部の空気流通部に取り込み、着座面及び背もたれ面から外部に向けて吹出す空調用椅子が記載されている。これにより着座者は気流感を得ることができる。
【先行技術文献】
【特許文献】
【０００３】
【特許文献１】特開２０１１−８５２９２号公報
【発明の概要】
【発明が解決しようとする課題】
【０００４】
上記特許文献１の空調用椅子は、椅子の内部に形成された空気流通部が互いに連通している。このため、温度や流量が異なる空気を椅子の部位毎に吹出すことが難しい。このため、空調機能が付加された空調家具においては、空気の吹出口毎に異なる空気を吹出させて、着座者周辺の空気環境を細かく調整することが好ましい。
【０００５】
本発明は上記事実を考慮して、着座者周辺の空気環境を細かく調整できる空調家具を提供することを目的とする。
【課題を解決するための手段】
【０００６】
請求項１の空調家具は、着座可能な座面が形成された家具本体と、前記家具本体の内部に設けられ、空気が供給される複数の空気室と、それぞれの前記空気室に設けられ前記家具本体の外部へ向って空気を吹出す吹出口と、それぞれの前記吹出口から、温度及び流量の少なくとも一方が異なる空気を吹出可能とする調整機構と、を備えている。
【０００７】
請求項１の空調家具においては、家具本体に複数の空気室が設けられている。それぞれの空気室からは、温度及び流量の少なくとも一方が異なる空気を、家具本体の外部に向って吹出すことができる。例えば着座者の頭部と背中のそれぞれに向って、異なる温度や異なる流量の空気を吹出すことができる。これにより着座者周辺の空気環境を細かく調整できる。
【０００８】
請求項２の空調家具は、請求項１の空調家具において、前記調整機構は、建物の空調空気経路から前記空気室に空調空気を供給可能な第一供給口と、前記第一供給口を開閉可能なシャッターが設けられた第一開閉装置と、を備えている。
【０００９】
請求項２の空調家具においては、第一供給口から空気室に空調空気が供給される。第一供給口は、シャッターによって開閉可能とされているため、空気室に供給される空調空気の流量を調整できる。これにより、それぞれの空気室から温度及び流量が異なる空気を吹出すことができる。
【００１０】
請求項３の空調家具は、請求項１又は請求項２の空調家具において、前記調整機構は、建物の室内空間から少なくとも１つの前記空気室に室内空気を供給する第二供給口と、前記第二供給口を開閉可能なシャッター及びファンが設けられた第二開閉装置と、を備えている。
【００１１】
請求項３の空調家具においては、第二供給口から空気室に室内空気が供給される。第二供給口は、シャッターによって開閉可能とされファンが設けられているため、空気室に供給される室内空気の流量を調整できる。これにより、それぞれの空気室から温度及び流量の少なくとも一方が異なる空気を吹出すことができる。
【００１２】
請求項４の空調家具は、請求項１〜請求項３の何れか１項に記載の空調家具において、前記調整機構は、それぞれの前記吹出口から吹出される空気の温度及び流量を個別に制御する。
【００１３】
請求項４の空調家具においては、吹出口から吹出される空気の温度及び流量を個別に制御できる。これにより着座者毎に最適な空気環境を形成することができる。
【発明の効果】
【００１４】
本発明に係る空調家具によると、着座者周辺の空気環境を細かく調整できる。
【図面の簡単な説明】
【００１５】
【図１】本発明の実施形態に係る空調家具を示す立面図である。
【図２】本発明の実施形態に係る空調家具における空調装置を示す部分立断面図である。
【図３】（Ａ）は本発明の実施形態に係る空調家具における送風装置において開口部が全閉の状態を示す斜視図であり、（Ｂ）は開口部が半開の状態を示す斜視図であり、（Ｃ）は開口部が全開の状態を示す斜視図である。
【図４】（Ａ）は本発明の実施形態に係る空調家具において送風ファンを設けた送風装置の開口部が全閉の状態を示す斜視図であり、（Ｂ）は開口部が半開の状態を示す斜視図であり、（Ｃ）は開口部が全開の状態を示す斜視図である。
【図５】本発明の実施形態に係る空調家具においてアーチ部を矩形状とした変形例を示す立面図である。
【発明を実施するための形態】
【００１６】
以下、本発明に係る空調家具の実施形態について、図面を参照しながら説明する。各図面において同一の符号を用いて示される構成要素は、同一の構成要素であることを意味する。なお、各図面において重複する構成及び符号については、説明を省略する場合がある。また、本発明は以下の実施形態に限定されるものではなく、本発明の目的の範囲内において、適宜変更を加えて実施することができる。
【００１７】
＜空調家具＞
本発明の実施形態に係る空調家具１０は、図１に示すように、家具本体１２と、家具本体１２と一体的に形成された空調装置３０（図２参照）と、を備えている。空調家具１０は、例えばオフィスの室内空間に設置され、当該室内空間に滞在する利用者が、執務、会議、談話等の際に座って利用できる椅子状の家具である。
【００１８】
＜家具本体＞
家具本体１２は、対向配置された一対の座部１４と、これらの座部１４の外端部同士を連結する円環状のアーチ部１６と、を備えている。なお、それぞれの座部１４において、対向する側の端部を「内端部」と称し、対向する側とは反対側の端部を「外端部」と称すものとする。
【００１９】
座部１４には、着座可能な座面１４Ａが形成されている。座面１４Ａは、略水平面とされているが、適宜傾斜をつけることもできる。アーチ部１６において、それぞれの座部１４との接続部分には、背もたれ１６Ａが形成されている。２つの背もたれ１６Ａは、天蓋１６Ｂによって連結されている。
【００２０】
図２に示すように、座面１４Ａ及び背もたれ１６Ａの裏側には、クッション材１８が配置されている。クッション材１８は、２種類の弾性材料１８Ａ、１８Ｂによって形成されている。なお、図２においては対向配置された一対の座部１４のうち、一方の座部１４のみを示しており他方の座部１４は省略しているが、クッション材１８及び後述する空調装置３０の構成は同様である。
【００２１】
クッション材１８において表面側の弾性材料１８Ａは、繊維方向が表側から裏側に向かう方向に沿う不織布によって形成されている。このため、繊維方向が例えば座面１４Ａ及び背もたれ１６Ａに沿う不織布を用いる場合と比較して、反発力を得易く、また厚みを大きくし易く、さらに通気性を確保し易い。このため座り心地がよい。
【００２２】
一方、弾性材料１８Ｂは、有機繊維が三次元状に絡み合うように形成され、有機繊維間に隙間が形成されたシート材である。弾性材料１８Ｂは、有機繊維の弾性力によりクッション性を備え、また、有機繊維間の隙間により、弾性材料１８Ａより通気性が高い。
【００２３】
クッション材１８の表面には、表皮材２０が配置されている。表皮材２０は繊維を編み込んで形成され、通気性を備えている。表皮材２０は、座面１４Ａ、背もたれ１６Ａ及び天蓋１６Ｂに亘って連続して配置されている。
【００２４】
＜空調装置＞
空調装置３０は、家具本体１２に組み込まれ、着座者周辺の空気環境を調整するための設備機器である。空調装置３０は、空気室３２と、吹出口３４と、供給口３６と、送風装置４０と、を備えている。
【００２５】
（空気室）
空気室３２は、２系統の第一空気室３２Ａ及び第二空気室３２Ｂを備えている。ここで、「２系統の第一空気室３２Ａ及び第二空気室３２Ｂを備えている」とは、第一空気室３２Ａ及び第二空気室３２Ｂへ供給される空気（換言すると、第一空気室３２Ａ及び第二空気室３２Ｂから家具本体１２の外部へ向って噴出される空気）が、それぞれ異なる制御によって調整可能とされていることを示す。「空気の調整」とは、空気の流量及び温度の少なくとも一方の調整を示しており、この調整は、送風装置４０によって実行される。
【００２６】
第一空気室３２Ａは、座面１４Ａ及び背もたれ１６Ａの裏側に形成された空気室であり、第二空気室３２Ｂは、天蓋１６Ｂの裏側に形成された空気室である。
【００２７】
（吹出口）
吹出口３４は、空気室３２から家具本体１２の外部へ向って空気を吹出す送風用の開口部である。吹出口３４は、第一空気室３２Ａに設けられた吹出口３４Ａと、第二空気室３２Ｂに設けられた吹出口３４Ｂと、を備えている。
【００２８】
吹出口３４Ａから吹出した空気は、座面１４Ａ及び背もたれ１６Ａの背面に位置するクッション材１８並びに座面１４Ａ及び背もたれ１６Ａの表面に位置する表皮材２０を通って家具本体１２の外部へ吹出される。すなわち吹出口３４Ａは、着座者と接する位置又は近接する位置から、着座者（主に背中や臀部、足元）へ向って空気を吹出す吹出口である。
【００２９】
同様に、吹出口３４Ｂから吹出した空気は、天蓋１６Ｂの表面に位置する表皮材２０を通って家具本体１２の外部へ吹出される。すなわち吹出口３４Ｂは、着座者と離れた位置（換言すると吹出口３４Ａより遠い位置）から、着座者（主に頭部や肩部）へ向って空気を吹出す吹出口である。なお、天蓋１６Ｂにおいては、必ずしも表皮材２０を用いる必要はない。例えば表皮材２０に代えて、パンチングメタル等の有孔材料等を用いてもよい。あるいは、天蓋１６Ｂにも、クッション材１８を配置することができる。
【００３０】
なお、図２に示した吹出口３４Ａ、３４Ｂの大きさは一例であり、それぞれ小さな開口部とすることができる。例えばパンチングメタルやグレーチング状の有孔材料を用いて形成してもよい。
【００３１】
（供給口）
供給口３６は、空気室３２へ向って空気を供給する送風用の開口部である。供給口３６は、第一空気室３２Ａに設けられた供給口３６Ａ、３６Ｃ、第二空気室３２Ｂに設けられた供給口３６Ｃと、を備えている。
【００３２】
供給口３６Ａ、３６Ｂは、本発明における第一供給口の一例であり、建物の床下空間へ開放している。床下空間は建物の空調空気経路とされている。床下空間には、室内空間へ吹出し前の調温された空気が循環しており、床下空間は室内空間に対して正圧とされている。このため、供給口３６Ａ、３６Ｂからそれぞれ第一空気室３２Ａ、第二空気室３２Ｂへ、調温された空気が連続的に供給可能とされている。
【００３３】
供給口３６Ｃは、本発明における第二供給口の一例であり、建物の室内空間へ開放している。室内空間は、第一空気室３２Ａ及び第二空気室３２Ｂと等圧以下とされている。このため、供給口３６Ｃからそれぞれ第一空気室３２Ａ、第二空気室３２Ｂへ空気を供給するためには、機械的な動力を必要とする。
【００３４】
（送風装置）
送風装置４０は、供給口３６に取り付けられ、空気室３２へ供給される空気量を調整する機構である。送風装置４０は、供給口３６Ａ、３６Ｂ、３６Ｃにそれぞれ取付けられた送風装置４０Ａ、４０Ｂ、４０Ｃを備えている。このうち、送風装置４０Ａ、４０Ｂは本発明における第一開閉装置の一例であり、送風装置４０Ｃは本発明における第二開閉装置の一例である。
【００３５】
図３（Ａ）〜（Ｃ）に示すように、送風装置４０Ａ、４０Ｂは、筒状の本体部４２と、面内方向が本体部４２の筒軸方向と略直交するように配置され開口部４４Ａが形成された開口板４４と、開口部４４Ａを開閉可能なシャッターとしての開閉板４６と、を備えている。
【００３６】
開閉板４６は、図示しないモーター等の動力源によって面内方向に沿って回転可能とされ、開口部４４Ａを開閉できる。なお、図３（Ａ）は開口部４４Ａが全閉の状態で、図３（Ｂ）は開口部４４Ａが半開の状態で、図３（Ｃ）は開口部４４Ａが全開の状態である。なお、送風装置４０Ａ、４０Ｂにおけるそれぞれの開閉板４６は、図示しない制御装置によって、開閉量を個別に制御することができる。
【００３７】
図２に示すように、送風装置４０Ａを供給口３６Ａへ取り付けることにより、建物の空調空気経路から第一空気室３２Ａに供給される調温空気量を調整できる。同様に、送風装置４０Ｂを供給口３６Ｂへ取り付けることにより、第二空気室３２Ｂに供給される調温空気量を調整できる。なお、送風装置４０Ａ及び供給口３６Ａと、送風装置４０Ｂ及び供給口３６Ｂとは、本発明における調整機構の一例である。
【００３８】
図４（Ａ）〜（Ｃ）に示すように、送風装置４０Ｃは、送風装置４０Ａ、４０Ｂと同様の構成（本体部４２、開口板４４、開閉板４６）に加え、送風ファン４８を備えている。送風ファン４８は、図示しないモーター等の動力源によって回転可能とされ、開口部４４Ａの外側（図４（Ａ）におけるＯＵＴ方向）から内側（ＩＮ方向）へ空気を通過させることができる。開閉板４６及び送風ファン４８は図示しない制御装置によって制御され、開口部４４Ａの内側へ通過させる空気量を制御することができる。
【００３９】
図２に示すように、送風装置４０Ｃを供給口３６Ｃへ取り付けることにより、建物の室内空間から第一空気室３２Ａに供給される室内空気量を調整できる。なお、送風装置４０Ｃ及び供給口３６Ｃは、本発明における調整機構の一例である。
【００４０】
＜作用・効果＞
本発明の実施形態に係る空調家具１０においては、図２に示すように、家具本体１２に複数の空気室３２（第一空気室３２Ａ、第二空気室３２Ｂ）が設けられている。それぞれの空気室３２からは、温度及び流量の少なくとも一方が異なる空気を、家具本体１２の外部に向って吹出すことができる。例えば着座者の頭部と胴体部に向って、異なる温度や異なる流量の空気を吹出すことができる。これにより着座者周辺の空気環境を細かく調整できる。
【００４１】
より具体的には、空調家具１０においては、建物の空調空気経路（床下空間）から供給口３６Ａを介して第一空気室３２Ａへ空調空気が供給される。空調空気経路は正圧とされ、供給口３６Ａは送風装置４０Ａの開閉板４６（図３参照）によって開閉可能とされている。これにより第一空気室３２Ａに供給される空調空気の流量を調整できる。
【００４２】
さらに第一空気室３２Ａには、建物の室内空間から供給口３６Ｃを介して室内空気が供給される。供給口３６Ｃは送風装置４０Ｃの開閉板４６（図４参照）によって開閉可能とされている。また、送風ファン４８によって供給口３６Ｃを通過する空気量を調整できる。このため第一空気室３２Ａに供給される室内空気の流量を調整できる。
【００４３】
このように、第一空気室３２Ａには、供給口３６Ａ、３６Ｃを介して、空調空気と室内空気との双方が供給可能とされている。また、これらの流量が調整可能とされている。
【００４４】
これにより、第一空気室３２Ａの内部において、空調空気（Ａ℃）と室内空気（Ｂ℃、冷房時においてはＡ＜Ｂ）の温度の範囲内における任意の温度の「調整空気」（Ｃ℃、Ａ≦Ｃ≦Ｂ）が混合生成される。また、この調整空気は、吹出口３４Ａを介して着座者へ向って吹出されるが、この吹出量を調整することができる。すなわち、吹出口３４Ａから着座者へ向って、温度及び流量が調整された空気を吹出すことができる。
【００４５】
一方で、空調家具１０においては、建物の空調空気経路（床下空間）から供給口３６Ｂを介して第二空気室３２Ｂへ空調空気が供給される。空調空気経路は正圧とされ、供給口３６Ｂは送風装置４０Ｂの開閉板４６（図３参照）によって開閉可能とされている。
【００４６】
これにより、第二空気室３２Ｂに供給される空調空気の流量を調整できる。この空調空気は、吹出口３４Ｂを介して着座者へ向って吹出される。すなわち、吹出口３４Ｂから着座者へ向って、流量が調整された空気を吹出すことができる。
【００４７】
このように、空調家具１０においては、２つの空気室３２（第一空気室３２Ａ、第二空気室３２Ｂ）から、温度及び流量の少なくとも一方が異なる空気を、家具本体１２の外部に向って吹出すことができる。
【００４８】
なお、「温度及び流量の少なくとも一方が異なる」とは、（ａ）温度及び流量の双方が異なる場合、（ｂ）流量のみが異なる場合、（ｃ）温度のみが異なる場合、の全てを含む。これらの各場合において、送風装置４０Ａにおける開閉板４６（図３参照）、送風装置４０Ｂにおける開閉板４６（図３参照）、送風装置４０Ｃにおける開閉板４６及び送風ファン４８（図４参照）は、適宜制御される。
【００４９】
制御方法の一例としては、冷房時、吹出口３４Ｂから、「空調空気」を着座者の頭部や肩に向って吹付ける。一方で、吹出口３４Ａからは、空調空気より室内温度に近い（暖かい）「調整空気」を、着座者の背中や臀部、足元に向って吹付ける。これにより着座者にとって快適な熱環境を形成する。これにより着座者の満足度を向上できる。
【００５０】
すなわち、例えば吹出口３４Ａから「空調空気」を直接吹き出した場合、着座者によっては身体が冷えすぎると感じる場合があるが、このような着座者にも快適な環境を形成できる。なお、着座者の体質によっては、吹出口３４Ａから空調空気を直接吹き出してもよい。
【００５１】
また別の一例としては、冷房時、吹出口３４Ａから、空調空気より室内温度に近い（暖かい）「調整空気」を、着座者の背中や臀部、足元に向って吹付ける。一方で、吹出口３４Ｂからの吹出しを停止する。これにより省エネ効果を得られる。
【００５２】
さらに別の一例として、冷房時、吹出口３４Ｂから、「空調空気」を着座者の頭部や肩に向って吹付けることができる。一方で、吹出口３４Ａからの吹出しを停止する。これにより身体に近い位置から空気が吹出すことが抑制されるため、周辺の室内空間との環境変化を穏やかにできる。
【００５３】
なお、着座者毎に最適化した熱環境を形成するために、図１に示すように、家具本体１２にはＮＦＣ（近距離無線通信：Near Field Communication）の受信端末１９を設けてもよい。着座者は、着座者毎に最適化された制御情報（送風装置４０Ａ、送風装置４０Ｂ、送風装置４０の制御情報）が記録されたＩＣチップや電子端末を、受信端末１９に近接させる。これによりそれぞれの着座者にとって快適な空間を形成することができる。
【００５４】
また、空調家具１０には、図２に破線で示すように、空調装置３０に加え、さらにシートヒーター６０を設置することができる。シートヒーター６０には、吹出口３４Ａから吹出される調整空気の流れを遮断しないように、適宜通風孔を形成する。
【００５５】
シートヒーター６０は、例えば座面１４Ａにおいて着座者の臀部が載置される部分及び背もたれ１６Ａに設置する第１系統と、座面１４Ａにおいて着座者の足元が当接する部分に設置する第２系統と、に分けて設置することができる。これにより、着座者の好みに応じて、足元のみを暖めたり、背中及び臀部を含めて暖めたりすることができる。
【００５６】
なお、本実施形態においては第一空気室３２Ａに供給口３６Ｃが形成され、送風装置４０Ｃが配置されているが本発明の実施形態はこれに限らない。例えば第一空気室３２Ａには供給口３６Ｃを形成せず、送風装置４０Ｃを配置しなくてもよい。
【００５７】
送風装置４０Ｃを配置しなくても、２つの空気室３２（第一空気室３２Ａ、第二空気室３２Ｂ）からは、少なくとも流量が異なる空気を、家具本体１２の外部に向って吹出すことができる。吹出す空気の流量が異なれば、着座者が感じる温冷感を調整できる。
【００５８】
また、本実施形態においては供給口３６Ａ、３６Ｂにそれぞれ送風ファンを備えない送風装置４０Ａ、４０Ｂを配置しているが、本発明の実施形態はこれに限らない。例えば供給口３６Ａ、３６Ｂには、送風ファン４８を備えた送風装置４０Ｃを配置してもよい。これにより、空調空気経路としての床下空間の圧力に関わらず空調空気を第一空気室３２Ａ及び第二空気室３２Ｂに供給することができる。また、空調空気の供給量を調整し易くなるため、着座者周辺の空気環境の調整能力が向上する。
【００５９】
さらに、本実施形態においては第二空気室３２Ｂには室内空気を取り入れない構成としたが、本発明の実施形態はこれに限らない。例えば第二空気室３２Ｂにも、第一空気室３２Ａと同様に室内空間に開放した供給口を設け、この供給口に送風ファンを備えた送風装置を配置してもよい。このようにすることで、吹出口３４Ｂから吹出される空気の温度調整をすることができ、着座者周辺の空気環境の調整能力が向上する。
【００６０】
また、本実施形態における調整機構は、家具本体１２の供給口３６Ａに送風装置４０Ａを取り付けて形成されている。このため、空調家具１０を床吹出し空調方式の室内空間に設置するだけで、容易に空気環境の調整ができる。但し本発明の実施形態はこれに限らず、例えば送風装置４０Ａは、建物に設けられた空調空気経路としてのダクトの開口部（先端）に取り付けてもよい。送風装置４０Ｂについても同様である。このように、調整機構と家具本体１２とを切り離すことで家具本体１２の構成を簡略化し、空調機能の大部分を建築設備工事によって一本化して構成することができる。
【００６１】
なお、本実施形態における空調家具１０においては、図１に示すように、第一空気室３２Ａが座面１４Ａ及び背もたれ１６Ａの裏側に形成された空気室とされ、第二空気室３２Ｂが天蓋１６Ｂの裏側に形成された空気室とされているが、本発明の実施形態はこれに限らない。
【００６２】
例えば、第一空気室３２Ａを、座面１４Ａの裏側に形成された空気室と、背もたれ１６Ａの裏側に形成された空気室と、の２系統に分割してもよい。この際、それぞれの空気室に、供給口３６Ａ及び送風装置４０Ａが設けられる。また、供給口３６Ｃ及び送風装置４０Ｃは、双方の空気室に設けることが好適であるが、何れか一方の空気室のみに設けるものとしてもよい。
【００６３】
また、第一空気室３２Ａを２系統に分割した場合、第二空気室３２Ｂは省略することができる。つまり、空調家具１０は、座部１４を必ずしもアーチ部１６によって連結したものとする必要はなく、座部１４のみの構成とすることができる。即ち、本発明の実施形態に係る空調家具は、座部１４を備えた家具であって、少なくとも２系統の空気室があるものとすればよい。
【００６４】
また、本実施形態における空調家具１０は、図１に示すように、座部１４の外端部同士を円環状のアーチ部１６によって連結して形成し、背もたれ１６Ａと天蓋１６Ｂとが連続した構成とされているが、本発明の実施形態はこれに限らない。
【００６５】
例えば図５に示す空調家具５０のように、座部５２と背部５４とを一体的に形成し、これらの座部５２及び背部５４の外周を、略矩形状のアーチ部５６で覆う構成としてもよい。空調家具をこのように形成しても、図２に示すように第一空気室３２Ａ及び第二空気室３２Ｂを形成し、空調装置３０を組付けることができる。
【００６６】
さらに、空調家具１０は、２つの座部１４が対向して配置されたボックス席状の形状としたが、本発明の実施形態はこれに限らない。例えば座部１４を１つだけ設け、１人掛けの椅子又はソファとして形成してもよい。このように、本発明は様々な態様で実施できる。また、各態様は適宜組み合わせて用いる事ができる。
【符号の説明】
【００６７】
１０    空調家具
１２    家具本体
１４Ａ  座面
３２    空気室
３２Ａ  第一空気室
３２Ｂ  第二空気室
３４    吹出口
３４Ａ  吹出口
３４Ｂ  吹出口
３６Ａ  供給口（第一供給口）
３６Ｂ  供給口（第一供給口）
３６Ｃ  供給口（第二供給口）
４０Ａ  送風装置（第一開閉装置）
４０Ｂ  送風装置（第一開閉装置）
４０Ｃ  送風装置（第二開閉装置）
４６    開閉板（シャッター）
４８    送風ファン（ファン）
５０    空調家具
【図１】
2020134070.tif 000003
【図２】
2020134070.tif 000004
【図３】
2020134070.tif 000005
【図４】
2020134070.tif 000006
【図５】
2020134070.tif 000007